(57)【要約】【課題】  庫内底板部の支持構造を工夫することによって、その底板部の支持のために用いられる部品に要するコストを低減できるようにした自動販売機を提供すること。【解決手段】  自動販売機本体１１内に設けられた商品収納庫２３と、この商品収納庫２３を複数の空間に仕切る仕切板２５とを備え、仕切板２５の前端側の辺部に取り付けられた補強フレーム２７の上端部が自動販売機本体１１の天面部１２ａに対して連結され、その補強フレーム２７の下端部に商品収納庫２３の底板部２０が固定されることで、底板部２０が仕切板２５を介して天面部１２ａから吊り下げられている。【選択図】        図１
2006178860.tif 000002
【特許請求の範囲】
【請求項１】
自動販売機本体内に設けられた商品収納庫と、前記商品収納庫を複数の空間に仕切る仕切板とを備えた自動販売機であって、
前記仕切板は、断熱材からなる四角形状の仕切板本体と、該仕切板本体の４辺部のうち少なくとも前端側の１辺部に取り付けられた金属製の補強フレームとからなり、前記前端側の１辺部に取り付けられた補強フレームの上端部が前記自動販売機本体の天面部に対して連結され、前記補強フレームの下端部に前記商品収納庫の底板部が固定されることで、前記底板部が前記仕切板を介して前記天面部から吊り下げられていることを特徴とする自動販売機。
【請求項２】
前記補強フレームの上端部は、商品収納ラックを吊り下げるために前記天面部に固定されたラックレールに固定されていることを特徴とする請求項１に記載の自動販売機。
【請求項３】
前記商品収納庫の背板部と前記仕切板本体の側面部のそれぞれに厚さ方向を貫通するスリットが形成されており、
帯片状の連結具が、前記背板部の後面側から折り曲げられて前記背板部のスリットを貫通して前記背板部の前面側に突出し、さらにこの突出した部分が折り曲げられて前記仕切板本体の前記側面部のスリットを貫通して、この側面部のスリットを貫通した部分が前記側面部側に折り曲げられることで、前記仕切板の左右の位置決めと、前記背板部との連結がされていることを特徴とする請求項１または請求項２に記載の自動販売機。
【発明の詳細な説明】
【技術分野】
【０００１】
本発明は、商品収納庫を複数の空間に仕切る仕切板を備えた自動販売機に関し、詳しくは、仕切板を利用して、商品収納庫の底板部を支える構造を工夫した自動販売機に関する。
【背景技術】
【０００２】
缶やボトル入り飲料等の商品を冷却したり加温して販売する自動販売機では、商品収納庫内が断熱性の仕切板によって仕切られている。図１３にその構成を示す。自動販売機本体１の内部には断熱材で囲まれた商品収納庫２が設けられ、その商品収納庫２は断熱性の仕切板１０によって仕切られて、図示の例では仕切板１０の左側に冷却又は加温を選択できる冷却／加温室２ａが、右側に冷却室２ｂが画成されている。冷却／加温室２ａ、冷却室２ｂ内には、それぞれ、自動販売機本体１の天面部から吊り下げられた商品収納ラック３が設けられ、さらに冷却／加温室２ａ内には蒸発器４ａ、ヒータ６、ファン７が設けられ、冷却室２ｂ内には蒸発器４ｂとファン５が設けられている。商品収納庫２の底板部８は断熱性を有し、その底板部８の下方には凝縮器や圧縮機等が配設される機械室９が確保されている。凝縮器で液化された冷媒は分岐された配管によって蒸発器４ａ、４ｂに接続され、圧縮機に戻るように構成されている。冷却／加温室２ａで加温するときは電磁弁により冷媒管路が遮断される。
【０００３】
仕切板１０としては断熱材を金属板で覆って補強した構成が一般的だが、特許文献１には、四角い板状の断熱材の４辺部にのみ金属製の補強枠を取り付けてコスト低減を図ったものが開示されている。
【特許文献１】特開２００２−３２８４２号公報
【発明の開示】
【発明が解決しようとする課題】
【０００４】
上述したように、自動販売機本体１内は、商品収納庫２の底板部８によって、その上方の空間が商品収納庫２、下方の空間が機械室９というように区切られている。したがって、底板部８は自動販売機本体１の底部１ａから機械室９の空間高さ分だけ高い位置に設けられ、その底板部８をその位置に支える構造が必要である。従来は、その構造として、底板部８の裏面側に、幅方向（図１３において横方向）に延びて渡された金属製の支持部材で底板部８を下側から支える構造を採用しており、この支持構造に用いられる上記支持部材としては曲げや撓みにくくするために比較的厚いものが用いられておりコスト高をまねいていた。
【０００５】
本発明は上述の問題に鑑みてなされ、その目的とするところは、庫内底板部の支持構造を工夫することによって、その底板部の支持のために用いられる部品に要するコストを低減できるようにした自動販売機を提供することにある。
【課題を解決するための手段】
【０００６】
本発明の自動販売機は、自動販売機本体内に設けられた商品収納庫と、この商品収納庫を複数の空間に仕切る仕切板とを備え、この仕切板は、断熱材からなる四角形状の仕切板本体と、該仕切板本体の４辺部のうち少なくとも前端側の１辺部に取り付けられた金属製の補強フレームとからなり、その前端側の補強フレームの上端部が自動販売機本体の天面部に対して連結され、補強フレームの下端部に商品収納庫の底板部が固定されることで、底板部が仕切板を介して天面部から吊り下げられていることを特徴としている。
【０００７】
本発明では、商品収納庫内を冷却室や加温室に仕切るために元々必要な仕切板を商品収納庫の底板部の支持にも使っている。すなわち、仕切板は天面部と底板部との間を連結する役割も担い、底板部が仕切板を介して天面部から吊り下げられて支えられている。したがって、従来のように底板部の裏面側に、底板部を下側から支えるためのＬ字状のブラケットや、幅方向に渡されて底板部を支える金属板等が不要になり、あるいは設けたとしてもその強度、厚さは小さくてよく、その分コストを低減できる。
【０００８】
また、仕切板の構成として断熱材だけとしてしまうと、仕切板と、天面部及び底板部との連結部位の強度の確保が難しいので、仕切板には天面部及び底板部との連結用の金属部材を設ける必要がある。そして、本発明では、その金属部材を、上記補強フレームの最小限にとどめており、このことによってもコスト低減を図っている。従来は、底板部を底側から支えるブラケットの取り付け位置の狂いによって天面部と底板部との間の寸法が小さめになった場合に、仕切板に対して天面部と底板部との間で圧縮されるような力が作用しやすかったが、本発明では仕切板は自動販売機本体の天面部から吊り下げられ、この仕切板に底板部が吊り下げられた構造となっているため、そのような圧縮力は作用しにくく、よって、仕切板に使われている金属部材を上記補強フレームだけとしても仕切板の変形や歪みなどは生じにくい。
【発明の効果】
【０００９】
本発明の自動販売機によれば、商品収納庫の底板部は、既存の構成である仕切板を使って自動販売機本体の天面部から吊り下げられるので、底板部を底側から支えるために設けられる部品は撓み強度を小さくでき、その分コスト低減を図れる。
【発明を実施するための最良の形態】
【００１０】
以下、本発明を適用した具体的な実施形態について、図面を参照しながら詳細に説明する。なお、本発明は以下の実施形態に限定されるものではなく、本発明の技術的思想に基づいて種々の変形が可能である。
【００１１】
図２に本発明の実施形態に係る自動販売機本体１１の外ケース１２を示す。外ケース１２は天面部１２ａ、左右の側面部１２ｂ、１２ｃ、背面部１２ｄ、底部１２ｅからなる箱状を呈し、金属材料からなる。外ケース１２内において底部１２ｅに近い位置には断熱材支持板１３が設けられている。断熱材支持板１３は金属材料からなり、その左右の側端縁部及び後端縁部には、外ケース１２の天面部１２ａ側に曲げられた取付壁部１３ａ、１３ｂ、１３ｃが設けられている。各取付壁部１３ａ、１３ｂ、１３ｃは、それぞれ、外ケース１２の側面部１２ｂ、１２ｃ、背面部１２ｄの内面に例えばスポット溶接で固定される。断熱材支持板１３の前端縁部には、天面部１２ａ側に曲げられ、さらに背面部１２ｄ側にも曲げられた断面コ字状の曲げ部１３ｄが設けられている。
【００１２】
外ケース１２の天面部１２ａ内面には断熱材１５ａが取り付けられる。側面部１２ｂにおける断熱材支持板１３よりも上方側の内面には断熱材１５ｂが取り付けられる。側面部１２ｃにおける断熱材支持板１３よりも上方側の内面には断熱材１５ｃが取り付けられる。背面部１２ｄにおける断熱材支持板１３よりも上方側の内面には断熱材１５ｄが取り付けられる。さらに、断熱材支持板１３上にも断熱材１６が取り付けられる。この断熱材１６の前端部は、断熱材支持板１３の曲げ部１３ｄに嵌め合わされる。各断熱材１５ａ〜１５ｄ、１６にはその表面を覆うような金属板又は金属フィルムは設けられていない。
【００１３】
以上のようにして、断熱材支持板１３の上方に、断熱材１５ａ〜１５ｄ、１６によって囲まれた空間が形成され、この空間は商品収納庫２３（図３参照）として機能する。すなわち、断熱材１５ａ〜１５ｄは、それぞれ、商品収納庫２３の天板部、側板部、背板部として機能する。また、断熱材支持板１３とこれに支持される断熱材１６とから商品収納庫２３の底板部２０が構成される。商品収納庫２３内には、例えばサーペンタイン式等の商品収納ラック（図示せず）が設けられる。
【００１４】
底板部２０の裏面と外ケース１２の底部１２ｅ内面との間の空間は機械室２４として機能する。この機械室２４には圧縮機や凝縮器等が設置され、また商品収納庫２３内において冷却室として機能する空間内の底板部２０上には蒸発器が設置され、これら圧縮機、凝縮器、蒸発器等は冷却ユニットを構成する。機械室２４内の圧縮機や凝縮器等と、商品収納庫２３内の蒸発器とは、断熱材支持板１３の前端部に形成された切欠き部１４及びこれに一致される断熱材１６の前端部に形成された切欠き部１７を通される配管を介して接続される。
【００１５】
商品収納庫２３内において冷却／加温室として機能する空間内にはヒータ及び蒸発器が設置される。さらに、冷却室及び加温室内にはファンが設置され、このファンによって、商品収納庫２３内の所定の空間領域のみを冷却ゾーンまたは加温ゾーンとすべく冷たいまたは暖かい空気の循環気流が形成される。
【００１６】
商品収納ラックは、商品収納庫２３内で高さ方向に延在し、よって飲料等の商品はその商品収納ラック内に積み重ねられるようにして収納される。そして、最下位置にある商品から払い出されていく。商品収納ラックの最下位置近傍の商品が所望の設定温度に冷却または加温される。
【００１７】
自動販売機本体１１の前面は開口しており、図示しない断熱性の内扉によって開閉される。内扉の外側にはさらに外扉が本体に対して開閉自在に取り付けられる。
【００１８】
次に、商品収納庫２３内を複数の空間に仕切る仕切板２５について説明する。図３に示すように、仕切板２５は、硬質ウレタンフォーム等の断熱材からなり縦長矩形状に形成された仕切板本体２６と、この仕切板本体２６の４辺部のうち前端側の１辺部に取り付けられた金属製の補強フレーム２７とを有する。仕切板本体２６において、補強フレーム２７が取り付けられた部分以外の部分は金属で覆われていない。なお、図３では２枚の仕切板２５を示したが、１枚あるいは３枚以上であってもよい。
【００１９】
図４は補強フレーム２７の正面図を、図５Ａは左側面図を、図５Ｂは右側面図を示す。補強フレーム２７は、帯状の前面部２７ａ（図４）と、この前面部２７ａの左右の長尺縁部からそれぞれ前面部２７ａの裏面側に略垂直に延びる左側面部２７ｂ（図５Ａ）と右側面部２７ｃ（図５Ｂ）とからなる。前面部２７ａ及び左右の側面部２７ｂ、２７ｃは一体に構成される。
【００２０】
前面部２７ａには、長手方向に延びる複数の縦長のスリット３１、３２、３３が形成されている。これらスリット３１、３２、３３は、補強フレーム２７の左右の側面部２７ｂ、２７ｃ間での熱伝導を抑制するために形成されている。また、短めのスリット３３の開口縁部には前面部２７ａ側に突出する断面Ｌ字状（図６参照）の取付片部３４が形成されている。
【００２１】
前面部２７ａの下端部は、図５に示すように両側面部２７ｂ、２７ｃの下端部より突出して、その突出した分だけ前面部２７ａの方が両側面部２７ｂ、２７ｃよりも長くなっている。その前面部２７ａの突出した部分３６には図４に示すように貫通孔２８が形成されている。また、左側面部２７ｂの上端部近傍にも図５Ａに示すように貫通孔３５が形成されている。
【００２２】
補強フレーム２７の前面部２７ａには、その長手方向に沿って、図６に示すパッキン４７が取り付けられる。パッキン４７は軟質部３８とこの裏面側に設けられた硬質部３９とからなり、補強フレーム２７の前面部２７ａの長手方向に沿って延在している。パッキン４７は、その硬質部３９のＬ字状の取付片部３９ａを、補強フレーム２７の前面部２７ａに形成された取付片部３４の裏側に入り込ませるようにして係合させて前面部２７ａに取り付けられる。
【００２３】
仕切板２５が商品収納庫２３内に取り付けられて商品収納庫２３の前面が図示しない断熱性の内扉によって閉鎖されると、パッキン４７の軟質部３８がその内扉の背面に密着することで仕切板２５の前端部付近における冷却室と加温室との間の空気の流れが遮断される。
【００２４】
また、図６に示すように、補強フレーム２７の左右の側面部２７ｂ、２７ｃと、仕切板本体２６との間の段差を覆うようにしてテープ３７が貼り付けられている。テープ３７は上記段差の延在方向(図６において紙面に垂直方向)に沿って延びている。これは、商品収納庫２３内に設けられる商品収納ラックを商品収納庫２３の手前側に引き出す際に、商品収納ラックが上記段差に引っかかることを防いで円滑なスライドを行わせるために設けられている。
【００２５】
以上のように構成される仕切板２５は、その側面部を商品収納庫２３の側板部１５ｂ、１５ｃ内面に略平行にし、かつ補強フレーム２７が取り付けられた前端部を前方に向けた状態で商品収納庫２３内に配設される。本実施形態では、例えば図３に示すように２枚の仕切板２５が商品収納庫２３内に配設されて、商品収納庫２３内が３室に仕切られる。各室は、仕切板２５によって他室から断熱された冷却室または加温室とされる。
【００２６】
各仕切板２５の上端部、後端部、下端部のそれぞれと、商品収納庫２３の天板部１５ａ内面、背板部１５ｄ内面、底板部２０上面との間には、図３に示すように２つのＬ字状の部材２９ａ、２９ｂが組み合わされてなるパッキン２９が介在される。これにより、各仕切板２５の上端部、後端部、下端部付近での冷却室と加温室との間の空気の流れが遮断される。
【００２７】
仕切板２５における前端部と上端部との角部近傍部分は、自動販売機本体１１の天面部１２ａに対して連結される。具体的には、図１に示すように、補強フレーム２７の左側面部２７ｂの上端部に形成された貫通孔３５（図５Ａ参照）を通されるねじ４９によって、仕切板２５の上記角部近傍部分がラックレール５１における垂下部５１ａの前端部近傍部分に固定される。
【００２８】
ラックレール５１は、図１１に示すように、庫内で奥行き方向に沿って延びており、その水平部５１ｂの前端部がねじ４８によって天面部１２ａに対して固定される。ラックレール５１の奥側は、天面部１２ａから垂下された金属製の支持部材５５によって支持されている。具体的には、支持部材５５はその上端部側が天面部１２ａ内面に例えば溶接等で固定されて庫内幅方向に延在しており、図１２に示すように断熱材１５ａと断熱材１５ｄとの隙間を貫いて天面部１２ａから下方へ垂下している。この支持部材５５に形成された角孔５５ａに各ラックレール５１の垂下部５１ａの奥側部分が挿入され、断熱材１５ｄに突きさされることで各ラックレール５１の奥側部分が支えられている。ラックレール５１には商品収納ラックが吊り下げられて支持される。
【００２９】
ラックレール５１の前端部側のねじ止めについて図１を参照してさらに詳しく説明すると、ラックレール５１の水平部５１ｂの前端部近傍部分は、自動販売機本体１１の天面部１２ａ内面の前端部側の部分に取り付けられた補強部材２２ａにねじ４８で固定されている。また、このねじ４８で、パッキン４６の硬質部４６ｂも補強部材２２ａに対して固定されている。パッキン４６は商品収納庫２３の前面開口の上縁部に沿って延び、内扉が閉じられると軟質部４６ａが内扉の背面に密着して、前面開口の上縁部付近における商品収納庫２３内外の空気の連通を遮断する。
【００３０】
補強部材２２ａは金属板を凹凸が繰り返すように曲げ加工してなる。その後端側の下端部はＬ字状に曲げられこの水平部２２ｃに上記ねじ４８が螺着されている。さらに、補強部材２２ａの後端面側における凸状に曲げられた部分の裏側には、凹状に曲げられた別の補強部材２２ｂが取り付けられている。これら補強部材２２ａ、２２ｂは、図３に破線で示すように天面部１２ａの幅方向に延びている。
【００３１】
補強フレーム２７において両側面部２７ｂ、２７ｃよりも下方に突出した前面部２７ａの下端部３６は、そこに形成された貫通孔２８（図４参照）を通されるねじ５４によって、商品収納庫２３の底板部２０の前端部に固定されている。したがって、底板部２０の前端側は、ラックレール５１及び仕切板２５を介して自動販売機本体１１の天面部１２ａから吊り下げられている。なお、底板部２０の側端部側、後端部側は、上述したように図２に示す取付壁部１３ａ、１３ｂ、１３ｃを介して外ケース１２の側面部１２ｂ、１２ｃ、背面部１２ｄにそれぞれスポット溶接で固定されている。
【００３２】
また、底板部２０の前端側には、図１に示すように、パッキン５２がその裏面側に設けられた硬質部５２ｂを介して取り付けられている。パッキン５２は商品収納庫２３の前面開口の下縁部に沿って延び、内扉が閉じられると軟質部５２ａが内扉の背面に密着して、前面開口の下縁部付近における商品収納庫２３内外の空気の連通を遮断する。
【００３３】
以上述べたように本実施形態では、底板部２０の支持以外の目的で元々備えられているラックレール５１及び仕切板２５（本実施形態では例えば２本のラックレール５１及び２枚の仕切板２５）を用いて、底板部２０の前端部を天面部１２ａから吊り下げて支え、さらに底板部２０の側端部及び後端部はスポット溶接で外ケース１２の内面に固定されるので、底板部２０の裏面側に、底板部２０を下側から支えるためのＬ字状のブラケットや、幅方向に渡されて底板部２０を支える金属板等が不要になりコストを低減できる。また、底板部２０を下側から支える上記部品を設けたとしてもその強度や厚さは従来設けるものよりも小さくでき、その分コストを低減できる。
【００３４】
また、従来は、底板部２０を下側から支える上記ブラケットや金属板の取り付け位置の狂いによって天面部１２ａと底板部２０との間の寸法が小さめになった場合に、仕切板２５に対して天面部１２ａと底板部２０との間で圧縮されるような力が作用しやすかったが、本実施形態では上述したように仕切板２５は天面部１２ａから吊り下げられ、この仕切板２５に底板部２０が吊り下げられた構造となっているため、そのような圧縮力は作用しにくい。したがって、仕切板２５にはそれほど高い強度は要求されず、仕切板２５に使われる金属部材としては、天面部１２ａ及び底板部２０と連結するために前端部に設けられた補強フレーム２７の最小限にすることができる。この結果、底板部２０を下側から支える上述したような部品に要するコスト低減と相俟って、よりいっそうのコスト低減が図れる。
【００３５】
なお、本実施形態において天面部１２ａに取り付けられる補強部材２２ａ、２２ｂは天面部１２ａの強度が弱い場合にそれを補う（天面部１２ａの撓みや変形を防ぐ）ものであり、その補強部材２２ａ、２２ｂだけで底板部２０を吊り下げて支えるわけではなく、天面部１２ａと底板部２０を補強フレーム２７で固定することで一体化することにより全体として強度を高めて底板部２０の撓みを防ぐものである。したがって、補強部材２２ａ、２２ｂにはそれほど高い強度は要求されない。このため、本実施形態では厚いブロック状のものを使うのではなく、図１に示すように金属板を曲げ加工して用いることで十分であり、低コストで済む。もちろん天面部１２ａだけの強度で十分であるならば補強部材２２ａ、２２ｂは必ずしも必要ない。
【００３６】
また、本実施形態では、補強フレーム２７の上端部と天面部１２ａとの間の連結の仲立ちをする部材として、元々備わっているラックレール５１を用いている。これは、補強フレーム２７の取付用に別途天面部１２ａから垂下する部材を設ける場合に比べて既存の構成を使うので、このことも部品点数の増大を防止してコスト低減に貢献している。
【００３７】
また、仕切板本体２６の側面部に金属板や金属フィルムがないことで、以下に述べるような効果も得られる。上述したように、商品収納庫２３内においては、直近に販売される商品の収納された位置である商品収納ラックの最下位置近傍の領域のみを所望の設定温度となるように冷却または加熱しており、仕切板本体２６の側面部に金属板や金属フィルムがないことで、庫内下部に位置する商品収納ラックの最下位置近傍領域から、仕切板側面の金属板や金属フィルムを伝導して庫内上方へと熱が逃げていくことを防げる。この結果、所望の設定温度に維持するべき商品収納ラックの最下位置近傍領域の冷却または加熱効率を向上でき省エネルギ化を図れる。
【００３８】
なお、本実施形態では仕切板本体２６の側面を保護する薄膜の金属フィルムを設けていない構造としたが、そのような金属フィルムを設けてもよい。この場合は上述したような熱伝導による熱漏洩を防ぐ効果はないが、本発明の実施に際しては何ら支障がない。
【００３９】
また、補強フレーム２７の前面部２７ａには、図４に示すように、長手方向に延びる複数の縦長のスリット３１〜３３が形成されている。これらスリット３１〜３３によって、補強フレーム２７を介しての、仕切板２５を挟む左右の室間の熱伝導を抑えている。このことによっても、冷却室または加熱室における冷却または加熱効率の低下を防いでいる。なお、スリット幅が大きい方が上記熱伝導の抑制効果は大きいが、あまりスリット幅を大きくすると補強フレーム２７の強度低下をきたす。そこで、本実施形態では、上記冷却ゾーンまたは加熱ゾーンよりも下方に位置し補強フレーム２７を介する熱伝導がそれほど問題にならない部分のスリット３２はその幅を小さめして補強フレーム２７の強度低下を抑えている。
【００４０】
仕切板２５の側面及び商品収納庫の背板部１５ｄの表面に金属板が設けられていれば、図１０に示すように、Ｌ字型のブラケット４４及びねじ４５を用いて仕切板２５と背板部１５ｄとを連結することができるが、本実施形態では仕切板２５及び背板部１５ｄ共にその表面には金属板が設けられていない。
【００４１】
そこで、本実施形態では、背板部１５ｄと、仕切板２５の側面部とは、図７に示す帯片状の連結具１８によって連結されている。連結具１８は金属材料からなり、その長手方向の中央部には矩形孔４１が形成されている。連結具１８の一端部と矩形孔４１との間には、短手方向に沿った３本のスリット４２ａ〜４２ｃが互いに間隔をあけて形成されている。同様に、連結具１８の他端部と矩形孔４１との間にも、短手方向に沿った３本のスリット４２ｄ〜４２ｆが互いに間隔をあけて形成されている。スリット４２ａとスリット４２ｂとの間、スリット４２ｅとスリット４２ｆとの間、スリット４２ｃの図において左側、およびスリット４２ｄの図において右側には、それぞれ複数の丸孔４３が形成されている。
【００４２】
以上のように構成される連結具１８は、先ずスリット４２ａ、４２ｆに沿って略直角に折り曲げられ、図２に示すように、その折り曲げられた先の部分が、商品収納庫２３の背板部１５ｄの厚さ方向を貫通して形成された１対のスリット２１にそれぞれ通される。そして、連結具１８の中央部分はテープ１９で背板部１５ｄの後面に貼り付けられる。
【００４３】
連結具１８において背板部１５ｄの前面側に突出する２つの部分のうち一方は、スリット４２ｅに沿って内側に折り曲げられて、図８Ａ〜図８Ｂに示すように、仕切板本体２６の厚さ方向を貫通して形成されたスリット３０（図３参照）を通される。さらに、連結具１８の先端部側は図８Ｂの状態からスリット４２ｄに沿って略直角に折り曲げられて、図８Ｃに示すように仕切板本体２６の側面部に向き合わされる。すなわち、仕切板２５の後端部側の部分が連結具１８のフック状にされた部分に引っかけられるようにして背板部１５ｄと連結される。
【００４４】
連結具１８において背板部１５ｄの前面側に突出する２つの部分のうちの他方についても上記と同様に、図９に示すように他方の仕切板２５に連結される。これにより、仕切板２５と背板部１５ｄとの位置ずれが防止され、ケース１２の背面部１２ｄの内面に設けられた断熱材１５ｄと仕切板本体２５の後端面との隙間をなくすことができる。これにより、仕切板２５によって仕切られる空間を安定して維持することができる。また、１つの連結具１８で複数（図９に示す例では２つ）の仕切板２５を背板部１５ｄに対して連結させているので最小限の部品点数で済む。
【００４５】
また、連結具１８を介しての異なる室間での熱伝導を抑制するために、図７に示すように連結具１８には矩形孔４１や丸孔４３が形成されている。
【図面の簡単な説明】
【００４６】
【図１】本発明の実施形態に係る自動販売機の要部断面図である。
【図２】同自動販売機の本体及びこの内面に取り付けられる断熱材の斜視図である。
【図３】同自動販売機の本体及び仕切板の斜視図である。
【図４】仕切板本体の前端部に取り付けられる補強フレームの正面図である。
【図５】Ａは補強フレームの左側面図を、Ｂは右側面図を示す。
【図６】仕切板の前端部側の拡大断面図である。
【図７】商品収納庫背板部と仕切板とを連結する連結具の平面図である。
【図８】図７に示す連結具を用いた商品収納庫背板部と仕切板との連結の仕方を示す図である。
【図９】２つの仕切板が共通の連結具によって商品収納庫背板部と連結された状態の断面図である。
【図１０】従来の仕切板表面が金属板で覆われている場合における商品収納庫背板部と仕切板とのＬ字金具を用いた連結箇所の斜視図である。
【図１１】ラックレールの取付構造を示す斜視図である。
【図１２】ラックレールの後端側を支持する支持部材の取付構造を示す断面図。
【図１３】従来例の自動販売機本体の正面図である。
【符号の説明】
【００４７】
１１…自動販売機本体、１２…外ケース、１２ａ…天面部、１３…断熱材支持板、１５ａ〜１５ｄ…断熱材、１６…断熱材、１８…連結具、２０…底板部、２１…スリット、２２ａ，２２ｂ…天面部補強部材、２３…商品収納庫、２４…機械室、２５…仕切板、２６…仕切板本体、２７…補強フレーム、３０…スリット、５１…ラックレール。
【図１】
2006178860.tif 000003
【図２】
2006178860.tif 000004
【図３】
2006178860.tif 000005
【図４】
2006178860.tif 000006
【図５】
2006178860.tif 000007
【図６】
2006178860.tif 000008
【図７】
2006178860.tif 000009
【図８】
2006178860.tif 000010
【図９】
2006178860.tif 000011
【図１０】
2006178860.tif 000012
【図１１】
2006178860.tif 000013
【図１２】
2006178860.tif 000014
【図１３】
2006178860.tif 000015